(57)【要約】【課題】  横部材の支持を簡単に行えるようにする。【課題を解決するための手段】  支柱の側面に対向させて支持構造体を固着し、棚板を水平に支持可能とする。棚板の左右端部から軸方向外側へ突設されたＴ字状の突設部３３は、首部３４と首部３４から直径方向へ延設された係止部３５を有する。支持構造体は、上下方向に延設され、側方に開口したガイド部を有し、開口からガイド部の中に係止部３５を縦向きにして挿脱自在である。ガイド部の高さの異なる複数個所には、係止部３５を軸周りに回転自在な空間を備え、横向きの係止部３５を係止する係止受け部６ａの形成された横部材受け空間部６が形成されている。【選択図】      図８
2020112264.tif 000002
【特許請求の範囲】
【請求項１】
横方向の軸に沿って延設されて軸周りに回転自在な横部材を支持する支持構造体であって、横部材は端部から軸方向外側に延設された首部、首部から半径方向または直径方向に延設された係止部を有し、
支持構造体は、
上下方向に延設されるとともに上方及び横部材向きの側方に開口するか、または上下方向に延設されるとともに横部材向きの側方に開口したガイド部を有し、
ガイド部は、横部材の係止部を縦向きにした状態で開口を通してガイド部内に挿脱自在に挿入可能に形成されており、
支持構造体内部の高さの異なる複数個所に、ガイド部内に挿入された係止部を縦向きと横向きの間で軸周りに回転自在な空間を備えるとともに横向きの係止部を係止可能な係止受け部の形成された横部材受け空間部を有しており、
横部材受け空間部は、係止部を係止受け部の上に横向きにした状態では開口を通した挿脱が不能に形成されていること、
を特徴とする支持構造体。
【請求項２】
横方向の軸に沿って延設されて軸周りに回転自在な横部材を支持する支持構造体であって、横部材は端部から軸方向外側に延設された首部、首部から半径方向または直径方向に延設された係止部を有し、
支持構造体は、
上下方向に延設されるとともに上方及び横部材向きの側方に開口するか、または上下方向に延設されるとともに横部材向きの側方に開口したガイド部を有し、
ガイド部は、横部材の係止部を縦向きにした状態で開口を通してガイド部内に挿脱自在に挿入可能に形成されており、
支持構造体内部に、ガイド部内に挿入された係止部を縦向きと横向きの間で軸周りに回転自在な空間を備えるとともに、横向きの係止部を係止可能な係止受け部の形成された横部材受け空間部を有しており、
横部材受け空間部は、係止部を係止受け部の上に横向きにした状態では開口を通した挿脱が不能に形成されていること、
を特徴とする支持構造体。
【請求項３】
支持構造体は、縦部材に固着されているか、着脱自在に装着されていること、
を特徴とする請求項１または２記載の支持構造体。
【請求項４】
横部材は左右の端部に対称に首部および係止部が設けられており、
横部材の左右の端部を支持する一対の縦部材に、左右対称に形成された支持構造体が向かい合わせて固着されているか、着脱自在に装着されていること、
を特徴とする請求項１乃至３の内のいずれか一項記載の支持構造体。
【請求項５】
ガイド部の開口を通して、外部から横部材受け空間部の係止受け部に横向きに係止された係止部の上に挿脱自在であって、
係止受け部に係止された係合部の軸周りの回転を拘束可能に形成された回転拘束部材を付設したこと、
を特徴とする請求項１乃至４の内のいずれか一項記載の支持構造体。
【発明の詳細な説明】
【技術分野】
【０００１】
本発明は支持構造体に係り、とくに横パイプ、棚板などの横部材を着脱自在に支持可能とする支持構造体に関する。
【背景技術】
【０００２】
従来、棚、足場、柵等で縦方向に延設された支柱等の縦部材に対する棚板、バー部材等の横部材の支持・取り付けは、ボルト・ナット、クランプなどの締結部品を用いて行っていたため、作業に時間が掛かったり、狭い場所では作業しずらいなどの欠点があった。
【発明の概要】
【発明が解決しようとする課題】
【０００３】
本発明は上記した従来技術の問題に鑑みなされたもので、横部材の取り付けを簡単に行える支持構造体を提供することを、その目的とする。
【課題を解決するための手段】
【０００４】
請求項１記載の発明では、
横方向の軸に沿って延設されて軸周りに回転自在な横部材を支持する支持構造体であって、横部材は端部から軸方向外側に延設された首部、首部から半径方向または直径方向に延設された係止部を有し、
支持構造体は、
上下方向に延設されるとともに上方及び横部材向きの側方に開口するか、または上下方向に延設されるとともに横部材向きの側方に開口したガイド部を有し、
ガイド部は、横部材の係止部を縦向きにした状態で開口を通してガイド部内に挿脱自在に挿入可能に形成されており、
支持構造体内部の高さの異なる複数個所に、ガイド部内に挿入された係止部を縦向きと横向きの間で軸周りに回転自在な空間を備えるとともに横向きの係止部を係止可能な係止受け部の形成された横部材受け空間部を有しており、
横部材受け空間部は、係止部を係止受け部の上に横向きにした状態では開口を通した挿脱が不能に形成されていること、
を特徴としている。
請求項２記載の発明では、
横方向の軸に沿って延設されて軸周りに回転自在な横部材を支持する支持構造体であって、横部材は端部から軸方向外側に延設された首部、首部から半径方向または直径方向に延設された係止部を有し、
支持構造体は、
上下方向に延設されるとともに上方及び横部材向きの側方に開口するか、または上下方向に延設されるとともに横部材向きの側方に開口したガイド部を有し、
ガイド部は、横部材の係止部を縦向きにした状態で開口を通してガイド部内に挿脱自在に挿入可能に形成されており、
支持構造体内部に、ガイド部内に挿入された係止部を縦向きと横向きの間で軸周りに回転自在な空間を備えるとともに、横向きの係止部を係止可能な係止受け部の形成された横部材受け空間部を有しており、
横部材受け空間部は、係止部を係止受け部の上に横向きにした状態では開口を通した挿脱が不能に形成されていること、
を特徴としている。
請求項３記載の発明では、
支持構造体は、縦部材に固着されているか、着脱自在に装着されていること、
を特徴としている。
請求項４記載の発明では、
横部材は左右の端部に対称に首部および係止部が設けられており、
横部材の左右の端部を支持する一対の縦部材に、左右対称に形成された支持構造体が向かい合わせて固着されているか、着脱自在に装着されていること、
を特徴としている。
本発明の請求項５記載の発明では、
ガイド部の開口を通して、外部から横部材受け空間部の係止受け部に横向きに係止された係止部の上に挿脱自在であって、
係止受け部に係止された係合部の軸周りの回転を拘束可能に形成された回転拘束部材を付設したこと、
を特徴としている。
【発明の効果】
【０００５】
本発明によれば、支柱等の縦部材、縦壁等に支持構造体を設けておけば、開口からガイド部の中に横部材の端部の係止部を縦向きにして挿入し、ガイド部の途中に形成された横部材受け空間部で係止部を横向きにし、係止受け部に係止させることにより、簡単な作業で横部材が容易に外れないように支持させることができる。
【図面の簡単な説明】
【０００６】
【図１】図１は本発明の第１実施例に係る棚位置可変棚の使用状態を示す一部破断した正面図である（実施例１）。
【図２】図１中のＩＩ−ＩＩ’線に沿った水平断面図である。
【図３】図３は図１の左側の支柱の一部破断した外観斜視図である。
【図４】図４は図３中の支持構造体の組み立て図である。
【図５】図５（１）は棚板の左側面図、（２）は棚板の左端部の一部省略した拡大正面図である。
【図６】支持構造体の作用説明図である。
【図７】支持構造体の作用説明図である。
【図８】支持構造体の作用説明図である。
【図９】図１の変形例に係る足場用の建地部材の使用状態を示す説明図である。
【図１０】図９中の建地部材のブラケット周辺を示す一部省略した外観斜視図である。
【図１１】図１０のブラケットの組み立て図である。
【図１２】図１の支持構造体付き支柱の変形例を示す横断面図である。
【図１３】図９のブラケットの変形例を示す横断面図である。
【図１４】図１４は本発明の第２実施例に係る棚位置可変棚の使用状態を示す一部破断した正面図である（実施例２）。
【図１５】図１５は図１４の左側の支柱の一部破断した外観斜視図である。
【図１６】図１６は図１５中の支持構造体を開口側から見た図である。
【図１７】図１７は図１５中の支持構造体の組み立て図である。
【図１８】図１８（１）は図１４中の棚板の左側面図、（２）は棚板の左端部の一部省略した拡大正面図である。
【図１９】図１９（１）は図１４中の回転拘束部材の外観斜視図、（２）は（１）の回転拘束部材を図１４の正面側から見た図である。
【図２０】支持構造体の作用説明図である。
【図２１】回転拘束部材の変形例を示す説明図である。
【図２２】図１４の変形例に係る足場用の建地部材の使用状態を示す説明図である。
【図２３】図２２中の建地部材のブラケット周辺を示す一部省略した外観斜視図である。
【図２４】図２３を側方の開口側から見た図である。
【図２５】図２３のブラケットの組み立て図である。
【図２６】図２２中の支持構造体の作用説明図である。
【図２７】図２２中の支持構造体の作用説明図である。
【発明を実施するための最良の形態】
【０００７】
以下、本発明の最良の形態を実施例に基づき説明する。
【実施例１】
【０００８】
図１乃至図５を参照して本発明の第１実施例に係る棚位置可変棚を説明する。図１は床と天井の間に設置された棚位置可変棚の正面図、図２は図１のＩＩ−ＩＩ’線に沿った一部破断した水平断面図、図３は図１の左側の支柱の一部破断した外観斜視図、図４は図３中の支持構造体の組み立て図、図５（１）は図１中の棚板の左側面図、（２）は棚板の左端部の一部省略した拡大正面図である。
これらの図において、１と２は床と天井の間に左右離して立設された金属製（鋼製、ステンレス鋼製など）で角柱状の支柱、３は左の支柱１の左右側面と右の支柱２の左右側面に上下方向に延設して溶接等により固着されるか、またはネジ等により着脱自在に装着された金属製（鋼製、ステンレス鋼製など）の支持構造体である。４つの支持構造体３は全て同形であり、また、支柱１の右側面の支持構造体３と支柱２の左側面の支持構造体３は左右対称かつ互いに対向して設けられている。
【０００９】
左の支柱１の右側面に設けられた支持構造体３は図３、図４の如く構成されている。この内、４は上下に長い金属製（鋼製、ステンレス製など）で箱型の本体であり、図１の右方に開口し、上端近くから下端近くまで上下方向に延設されたガイド溝５を備えている。ガイド溝５の途中には上下方向に間隔をおいて複数個設けられた断面が釣鐘形の横部材受け空間部６が形成されている。
ガイド溝５の内、横部材受け空間部６以外の細幅部７の溝幅をｗとすると、横部材受け空間部６の溝延設方向（上下方向）の高さＨはｗより３倍近くの大きさに形成されている。また、横部材受け空間部６の溝延設方向に見た上部側の約１／３の断面が半径Ｗ／２の円弧に沿って形成されている。ガイド溝５の各細幅部７は横部材受け空間部６の線対称な釣鐘形を頂点側から対称線に沿って上下方向に貫通するように形成されている。
ガイド溝５は横部材受け空間部６を含めて本体４の右側面４ａの側に開口している。ガイド溝５の細幅部７と横部材受け空間部６の深さＥは同一であり、ｗより少し大きく形成されている。
【００１０】
図３、図４の内、２０は上下に延設された金属製（鋼製、ステンレス製など）で長方形状のカバー板であり、本体４の開口した右側面４ａと同じ大きさに形成されており、右側面４ａに重ね合わせて図示しないネジ等で装着されるか、本体４と溶接等で一体化されている。カバー板２０は図４に示す如く、上下方向に延設された長方形状のガイドスリット２１を備えている。ガイドスリット２１は幅がｗであり、カバー板２０を右側方から見たときにガイド溝５と重なっている。ガイドスリット２１の下端は本体４の一番下の横部材受け空間部６の後述する係止受け部６ａの位置と一致している。
本体４のガイド溝５とカバー板２０のガイドスリット２１によりガイド部２２が構成されている（図３参照）。ガイド部２２はガイドスリット２１により後述する棚位置可変の棚板３０の有る右側方（支柱２の方向）に開口している。
右側の支柱２の左側面に設けられた支持構造体３は、図３、図４の支持構造体３と左右対称に形成されている。
【００１１】
図１中の横部材の一例としての棚板３０は図２に示す如く、金属製で長方形状の枠３１と枠３１内に嵌着された金属製の床３２からなる。棚板３０は平面的に見た前後方向（図２の上下方向）の中央を左右の横方向に延びた軸をＫとして、軸Ｋに沿って延設されるとともに軸Ｋの周りに回転可能に形成されている。枠３１の左端側面と右端側面の中央には平面視がＴ字状の金属製（鋼製、ステンレス製など）の突設部３３が左右対称に溶接等により固着されている。突設部３３は枠３１の外側の中心から軸方向外側へ突設された円柱状の首部３４、首部３４の先端から軸方向と直角を成す直径方向へ突設された角柱状の係止部３５から成る。
【００１２】
図５に示す如く、首部３４の外径Ｃ１はガイド溝５の細幅部７とガイドスリット２１の溝幅ｗより小さく、軸方向の長さＤ１はカバー板２０の厚さｄ１（図４参照）より少しだけ長く形成されている。係止部３５は首部３４の軸心から見て半径方向へＬの長さを有し、全長２Ｌはｗより遥かに大きく、Ｗより少し小さい大きさに形成されている。また、係止部３５の軸方向の長さＤ２はガイド溝５の横部材受け空間部６、細幅部７の深さＥ（図４参照）より短く形成されている。また係止部３５の高さｈは首部３４の外径Ｃ１と同一に形成されている。係止部３５はガイド溝５の横部材受け空間部６の中で、軸回りに回転自在になっている。
棚板３０の右端側の突設部３３は左側の突設部３３と同一のＴ字状に形成されており、首部３４、係止部３５からなる。棚板３０の左右の突設部３３は左右対称に形成されている。
【００１３】
次に、図１、図６乃至図８を参照して上記の如く構成された支持構造体３の作用を説明する。
なお、棚板３０の左右方向の長さは、水平にしたときの左右の突設部３３の首部３４が左の支持構造体３（左の支柱１の右側面の支持構造体３）のカバー板２０の厚み部分と、右の支持構造体３（右の支柱２の左側面の支持構造体３）のカバー板２０の厚み部分に来て、左右の突設部３３の首部３４を左右のガイドスリット２１に上下方向へ挿脱自在となる長さになっているものとする。
【００１４】
支柱１、２の任意の高さに棚板３０を支持させたい場合、ユーザは棚板３０を手に持って底板３２の平面が鉛直面内に来るとともに、正面から見て数°乃至数十°だけ時計回りまたは反時計回りに傾斜させ（図６参照）、左右の突設部３３の係止部３５を首部３４の軸周りに見て鉛直面内に入る縦向きとし、左の係止部３５を左の支持構造体３（左の支柱１の右側面の支持構造体３）のガイドスリット２１からガイド溝５に入れ、首部３４をカバー板２０のガイドスリット２１に遊嵌し、続いて底板３２の平面が鉛直面内に有る棚板３０を正面から見て逆方向（反時計回りまたは時計回り）に少し回転しながら、右の係止部３５を右の支持構造体３（右の支柱２の左側面の支持構造体３）のガイドスリット２１からガイド溝５に入れ、首部３４をカバー板２０のガイドスリット２１に遊嵌する（図７、図８（１）参照）。
【００１５】
そして、底板３２の平面が鉛直向きとなっている棚板３０を正面から見て時計回りまたは反時計回りの傾斜がないようにしながら、左側の係止部３５が例えば、左側の支持構造体３の所望の高さである上から３番目の横部材受け空間部６に入り（図８（２）参照）、右側の係止部３５が右の支持構造体３の上から３番目の横部材受け空間部６に入ったところで、棚板３０を軸Ｋの周りに９０度回転させて底板３２の平面が水平面内に入るようにし、左右の係止部３５を横向き（水平向き）とし（図８（３）参照）、横部材受け空間部６の底の係止受け部６ａに係止部３５を載せ（図８（４）参照）、手を離す。すると、左右の支持構造体３の間で所望の高さに棚板３０が水平に架設され、安定して支持された状態となる。
【００１６】
棚板３０に何らかの外力が加わって係止部３５が図１の前後方向（図８（４）の左右方向）や図１の左右方向に動いても、横部材受け空間部６の壁やカバー板２０に当接し、ガイド溝５（ガイド部２２）から外れるのが阻止される。
【００１７】
なお、支持構造体３から棚板３０を外したい場合は、取り付け時と逆の手順で簡単に外すことができ、他の所望高さに容易に移動ができる。
すなわち、棚板３０を持ち、左右の突設部３３を結ぶ軸Ｋの周りに９０度回転させて底板３２の平面が鉛直面内に入るようにし、係止部３５を縦向き（上下向き）とし、棚板３０を正面から見て時計回りまたは反時計回りに少し傾斜させながら、左の係止部３５を左のガイドスリット２１から外部に抜き、右の係止部３５を右のガイドスリット２１から外部に抜くことで、棚板３０の左右の突設部３３を左右の支持構造体３から容易に取り外すことができる。あとは、前述と同様にして、他の所望高さの横部材受け空間部６へ係止させれば良い。
【００１８】
この実施例によれば、支柱１、２に互い対向させて一対の支持構造体３を設けておけば、開口としてのガイドスリット２１からガイド部２２の中に横部材としての棚板３０の左右端部の係止部３５を縦向きにして挿入し、ガイド部２２の途中に形成された横部材受け空間部６で係止部３５を横向きにし、係止受け部６ａに係止させるだけの作業で、棚板３０を簡単に支柱１、２の間に水平に架設し、支持させることができ、しかも、棚板３０に外力が加わっても容易には棚板３０が外れないようにできる。
【００１９】
なお、上記した実施例では、支持構造体に多数の横部材受け空間部を設ける場合を例に挙げて説明したが、１個だけとしたり、２乃至５個程度としても良い。また、支持構造体に設けたガイド部は図１の左右方向である側方に開口するようにしたが、側方と上方の両方に開口するようにしても良い。
また、床と天井の間に立設された支柱に棚板を支持させる場合を例に挙げたが、地面の上に立設された足場の建地部材や柵用柱などの縦部材に、横方向に延びたバー部材などの横部材を支持させる場合にも適用することができる。
【００２０】
具体的には例えば図９、図１０に示す如く、地面の上に左右に間隔を離して立設した足場用の金属製（鋼製、ステンレス製など）の各建地部材４０、４１の途中箇所の同じ高さに、左右一対の金属製（鋼製、ステンレス製など）の支持構造体３Ａが一体化された全体が金属製（鋼製、ステンレス製など）のブラケット６０を溶接等で固着して設けるか、ボルト止め等で着脱自在に装着するようにし、金属製（鋼製、ステンレス製など）で左右方向に延びた軸に沿って延設されたバー部材５０の両端に、前述した棚板３０に設けたのと同様の金属製（鋼製、ステンレス製など）の突設部３３を設け、左右に間隔を開けて２本立設された建地部材４０、４１により、バー部材５０の両端の突設部３３を水平に支持可能とする。
各ブラケット６０に一体化して備えられた左右一対の支持構造体３Ａは全て同形であり、また、左側の建地部材４０のブラケット６０に備えた右側面側の支持構造体３Ａと、右側の建地部材４１のブラケット６０に備えた左側面側の支持構造体３Ａは左右対称かつ互いに対向して設けられている。
【００２１】
支持構造体３Ａは、前述した図３、図４の支持構造体３の本体４のガイド溝５に設けた横部材受け空間部６を一つだけとするとともに、図３、図４のガイド溝５の上端に開口５ａを形成した本体４Ａ、ガイド溝５Ａとし、また図３、図４のカバー板２０のガイドスリット２１の上端に開口２１ａを形成したカバー板２０Ａ、ガイドスリット２１Ａとした形状を有しており、バー部材５０の左右両端に設けた突設部３３をガイドスリット２１Ａの側方からも、上方からも挿脱可能にしたものである。横部材受け空間部６の底面はガイド溝５Ａの細幅部７Ａが非貫通の係止受け部６ｂであり、ガイドスリット２１Ａの下端はここでは係止受け部６ｂの高さ位置と一致している。
【００２２】
図１１に左側の建地部材４０の右側面側に設けられた支持構造体３Ａの組み立て図を示す。図１１において、４Ａはブラケット６０を構成する金属製（鋼製、ステンレス製など）で建地部材４０の外周に嵌着された外形が角柱状の基体６１の右側面に溶接、ネジ留め等で装備された箱型の本体であり、上方及び右方に開口し、上端近くから下端近くまで上下方向に延設されたガイド溝５Ａを備えている。ガイド溝５Ａは開口５ａに続く細幅部７Ａの下に断面が釣鐘形の一つの横部材受け空間部６を備えている。２０Ａは金属製（鋼製、ステンレス製など）で長方形状のカバー板であり、本体４Ａのガイド溝５Ａが開口した右側面４００ａと同形に形成されており、右側面４００ａに重ね合わせて図示しないネジ等で装着されるか、本体４Ａと溶接等で一体化されている。
ガイド溝５Ａとガイドスリット２１Ａによりガイド部２２Ａが構成されている（図１０参照）。ガイド部２２Ａはガイドスリット２１Ａによりバー部材５０の有る右側方（建地部材４１の方向）に開口し、かつ、開口５ａ、２１ａにより上方に開口している。
図１４の右側の建地部材４１にの左側面に備えられた支持構造体３Ａは、左側の建地部材４０の右側面に設けられた支持構造体３Ａと対向するようにして左右対称に形成されている。
【００２３】
図９、図１０の変形例によれば、建地部材４０の右側面側の支持構造体３Ａと建地部材４１の左側面側の支持構造体３Ａの開口２１ａまたは５ａからガイド部２２Ａの中に、横部材としてのバー部材５０の左右端部に設けた突設部３３の係止部３５を縦向きにして挿入し、ガイド部２２Ａの下部に形成された横部材受け空間部６で係止部３５を水平な横向きにし、係止受け部６ｂに載せて係止させることにより、バー部材５０を簡単に左右の建地部材４０、４１の間に水平に架設し、支持させることができ、しかも、バー部材５０に外力が加わっても容易にはバー部材５０が支持構造体３Ａから外れないようにできる。
左右の支持構造体３Ａからバー部材５０を取り外したい場合、逆の手順により、軸周りにバー部材５０を回転して左右の横部材受け空間部６の中で突設部３３の係止部３５を縦向きにし、ガイド部２２Ａの中を上方へ移動し、開口２１ａまたは５ａから上方へ抜くことで簡単に外すことができる。
【００２４】
また、上記した実施例では、支柱の左右面に一つづつ支持構造体を溶接等により固着またはボルト止め等により着脱自在に装着した例を挙げたが、図１２に示す如く、支柱１（２）の前後左右の４面に計４つの支持構造体３を固着または着脱自在に装着するようにしても良い。同様に、図９、図１０の変形例においても、図１３に示す如く建地部材４０（４１）に固着または着脱自在に装着したブラケット６０Ａの前後左右の４面に計４つの支持構造体３Ａを設けるようにしても良い。
【実施例２】
【００２５】
次に、図１４乃至図１９を参照して本発明の第２実施例に係る棚位置可変棚を説明する。図１４は床と天井の間に設置された棚位置可変棚の正面図、図１５は図１４の左側の支柱の一部破断した外観斜視図、図１６は図１５中の支持構造体を開口の有る右側方から見た図、図１７は図１５中の支持構造体の組み立て図、図１８（１）は図１４中の棚の左側面図、（２）は棚の左端部の一部省略した拡大図、図１９（１）は図１４中の回転拘束部材の外観斜視図、（２）は（１）の左側面図である。なお、第１実施例と同一の構成部分には同一の符号が付してある。
図１４乃至図１７において、１と２は床と天井の間に左右離して立設された金属製（鋼製、ステンレス鋼製など）で角柱状の支柱、３’は左の支柱１の左右側面と右の支柱２の左右側面に上下方向に延設して溶接等により固着されるか、またはネジ等により着脱自在に装着された金属製（鋼製、ステンレス鋼製など）の支持構造体である。４つの支持構造体３’は全て同形であり、また、支柱１の右側面の支持構造体３’と支柱２の左側面の支持構造体３’は左右対称かつ互いに対向して設けられている。
【００２６】
左の支柱１の右側面に設けられた支持構造体３’は図１５乃至図１７の如く構成されている。この内、４は上下に長い金属製（鋼製、ステンレス製など）で箱型の本体であり、図１４の右方に開口し、上端近くから下端近くまで上下方向に延設されたガイド溝５を備えている。本体４は第１実施例の本体４と同一に構成されている。すなわち、ガイド溝５の内、横部材受け空間部６以外の細幅部７の溝幅をｗとすると、横部材受け空間部６の溝延設方向（上下方向）の高さＨはｗより３倍近くの大きさに形成されている。また、横部材受け空間部６の溝延設方向に見た上部側の約１／３の断面が半径Ｗ／２の円弧に沿って形成されている。ガイド溝５の細幅部７は横部材受け空間部６の線対称な釣鐘形を頂点側から対称線に沿って上下方向に貫通するように形成されている。ガイド溝５は横部材受け空間部６を含めて本体４の右側面４ａの側に開口している。ガイド溝５の細幅部７と横部材受け空間部６の深さＥは同一であり、ｗより少し大きく形成されている。
【００２７】
図１５乃至図１７の内、２０’は上下に延設された金属製（鋼製、ステンレス製など）で長方形状のカバー板であり、本体４の開口した右側面４ａと同じ大きさに形成されており、右側面４ａに重ね合わせて図示しないネジ等で装着されるか、本体４と溶接等で一体化されている。カバー板２０’は図１７に示す如く、上下方向に延設されたガイドスリット２１’を備えている。ガイドスリット２１’の途中に上下方向に間隔をおいて複数個設けられた断面が背の低い釣鐘形の窓部２３が形成されている。窓部２３は横部材受け空間部６の上端から約３／５までの高さ部分と同一の形状を有しており、ガイドスリット２１’の内、窓部２３以外の細幅部２４の溝幅はｗである。ガイドスリット２１’の細幅部２４は窓部２３の線対称な釣鐘形を頂点側から対称線に沿って上下方向に貫通するように形成されている。支柱１の右側面に備えられた支持構造体３’を図１４の右方から見たとき、ガイドスリット２１’とガイド溝５は細幅部７と２４、横部材受け空間部６と窓部２３が重なり合うようになっており（図１６参照）、ガイドスリット２１’の下端は本体４の一番下の横部材受け空間部６の係止受け部６ａより少しｐだけ上の位置となっている。また、各窓部２３の下端縁２３ａは対応する横部材受け空間部６の係止受け部６ａよりｑだけ高い位置となるように形成されている。
【００２８】
本体４のガイド溝５とカバー板２０’のガイドスリット２１’によりガイド部２２’が構成されている（図１５、図１６参照）。ガイド部２２’はガイドスリット２１’により後述する棚位置可変の棚板３０’の有る右側方（支柱２の方向）に開口している。
図１４の右側の支柱２の左側面に設けられた支持構造体３’は、左側の支柱１の右側面に設けられた支持構造体３’と対向するようにして左右対称に形成されている。
【００２９】
図１４中の横部材の一例としての棚板３０’は、図１８に示す如く、左右の突設部３３’の首部３４’の直径Ｃ１’がＣ１より少し細くなっていることを除いて、第１実施例の棚板３０と同一に構成されている。前述したｐ＝（Ｃ１−Ｃ１’）／２である。ガイドスリット２１’の窓部２３の下端縁２３ａと対応する横部材受け空間部６の下端の係止受け部６ａの高さの差ｑは係止部３５の高さｈより少し大きくなっている。係止受け部６ａに水平向きに横置きされた係止部３５はガイド部２２’から横方向外側（棚板３０’の中央方向）へ抜けようとしても窓部２３の下側の幅細部２４両側のカバー板２０’に当たって抜けることはない。
【００３０】
図１４中の７０は回転拘束部材であり、ガイドスリット２１’の窓部２３と上に続く細幅部２４を通して、ガイド溝５の横部材受け空間部６と上に続く細幅部７の内、係止受け部６ａに横置きされた係止部３５の上の空間に挿脱自在に挿入可能に形成されており、係止部３５の回転を拘束し、係止部３５が縦向きになってガイド部２２’の開口から抜けるのを防止する。
【００３１】
回転拘束部材７０は図１９に示す如く、カマボコ形の本体部７１と、本体部７１の中央上端部から上方へ突設した直方体状の突設部７２と、突設部７２の上端近くの前端面から斜め上方へ突設した棒状の取っ手７３からなる。本体部７１と突設部７２の厚さＦはガイド溝５の深さＥより短く、係止部３５の軸方向の長さ（図１８の符号Ｄ２参照）とほぼ一致している。
回転拘束部材７０の縦断面形状は、横向きの係止部３５の縦断面形状と上下に重ね合わせて見たときに、横部材受け空間部６と上に続く細幅部７の一部の断面形状よりも少し小さく形成されており、カバー板２０’のガイドスリット２１’の窓部２３と上に続く細幅部２４の一部を通して、斜めに傾けながら回転拘束部材７０を係止受け部６ａの上に横向きに係止された係止部３５の上に挿入し、縦向きに起こすことで、横部材受け空間部６と上に続く細幅部７の内、係止部３５の上の空間に挿脱自在に挿入可能になっている。ガイド部２２’に挿入した回転拘束部材７０は取っ手７３を持って外部に取り出すことができる。
【００３２】
次に、図１４乃至図１６、図２０を参照して上記の如く構成された支持構造体３’の作用を説明する。
なお、棚板３０’の左右方向の長さは、水平にしたときの左右の突設部３３’の首部３４’が左の支持構造体３’（左の支柱１の右側面の支持構造体３’）のカバー板２０’の厚み部分と、右の支持構造体３’（右の支柱２の左側面の支持構造体３’）のカバー板２０’の厚み部分に来て、左右の突設部３３’の首部３４’を左右のガイドスリット２１’に上下方向に挿脱自在となる長さになっているものとする。
【００３３】
支柱１、２の任意の高さに棚板３０’を支持させたい場合、ユーザは棚板３０’を手に持って底板３２の平面が鉛直面内来るとともに、正面から見て数°乃至数十°だけ時計回りまたは反時計回りに傾斜させ（図６参照）、左右の突設部３３’の係止部３５を首部３４’の軸周りに見て鉛直面内に入る縦向きとし、左の係止部３５を左の支持構造体３’（左の支柱１の右側面の支持構造体３’）のガイドスリット２１’からガイド溝５に入れ、首部３４’をカバー板２０’のガイドスリット２１’に遊嵌し、底板３２の平面が鉛直面内に有る棚板３０’を正面から見て逆方向（反時計回りまたは時計回り）に少し回転しながら、右の係止部３５を右の支持構造体３’（右の支柱２の左側面の支持構造体３’）のガイドスリット２１’からガイド溝５に入れ、首部３４’をカバー板２０’のガイドスリット２１’に遊嵌する（図７、図８（１）参照）。
【００３４】
そして、棚板３０’を正面から見て時計回りまたは反時計回りの傾斜がないようにしながら、左側の係止部３５が例えば、左側の支持構造体３’の所望の高さである上から３番目の横部材受け空間部６に入り（図８（２）参照）、右側の係止部３５が右の支持構造体３’の上から３番目の横部材受け空間部６に入ったところで、棚板３０’を軸（図２の符号Ｋ参照）の周りに９０度回転させて左右の係止部３５を横向き（水平向き）とし（図８（３）参照）、横部材受け空間部６の底の係止受け部６ａに係止部３５を載せ（図８（４）参照）、手を離す。すると、左右の支持構造体３’の間で所望の高さに棚板３０’が水平に架設され、安定して支持された状態となる。
【００３５】
棚板３０’に何らかの外力が加わって係止部３５が図１４の前後方向や左右方向や紙面前後方向に動いても、横部材受け空間部６の壁やカバー板２０’に当接し、ガイド溝５（ガイド部２２’）から外れるのが阻止される。
但し、棚板３０’に何らかの外力が加わって係止部３５が縦向きになると、突設部３３’がガイドスリット２１’から外部に抜けてしまい、棚板３０’が落下してしまう恐れがある。この実施例では、係止部３５が縦向きになるのを邪魔して、突設部３３’がガイド部２２’から外れるのを防止するようにしてある。
【００３６】
すなわち、左側の支柱１の右側の支持構造体３’について、図１９の回転拘束部材７０の取っ手７３または突設部７２を持ち、本体部７１をガイドスリット２１’の窓部２３に対向させ、下端の前端縁７４を軸とした軸周りに、取っ手７３の側がガイドスリット２１’の開口方向（図１４の右方）へ前傾するように傾け、ガイドスリット２１’の内、窓部２３と上に続く細幅部２４の開口から、横部材受け空間部６の係止受け部６ａの上に横向きに係止された係止部３５の上の空間に挿し込み、縦向きに起こして係止部３５の上に垂直に起立させる（図２０（１）乃至（３）参照）。
【００３７】
係止部３５と上に載った回転拘束部材７０を合わせた縦断面形状は、横部材受け空間部６と上に続く細幅部７の空間と断面形状が類似し、少し小さいだけなので、回転拘束部材７０が上方に動こうとすると、本体部７１の外面が横部材受け空間部６の上壁に当接し、下方に動こうとすると係止部３５に当接し、ガイド部２２’の横の開口方向（図２０（１）の右方向）と直交する前後水平方向（図２０（３）の前後方向、（４）の左右方向）へ移動しようとすると、本体部７１の外面が横部材受け空間部６の内側壁に当接するか、または突設部７２が細幅部７の内壁に当接する。
また、回転拘束部材７０が、図２０（４）の時計回りまたは反時計回りに回転しようとしたときも、本体部７１の外面が横部材受け空間部６の内側壁に当接するか、または突設部７２が細幅部７の内壁に当接する。
【００３８】
この結果、回転拘束部材７０は上下方向・開口方向と直交する前後水平方向・回転方向のいずれの移動も干渉されて不能となる。
従って、棚板３０’に何らかの外力が加わって係止部３５が回転しようとしても、回転拘束部材７０に邪魔されてしまい、係止部３５は回転が拘束されて縦向きにはなれず、突設部３３’がガイド部２２’の開口から外部へ外れるのが防止される。
なお、回転拘束部材７０が何らかの外力で横の開口方向（図２０（３）の右方向）へ移動しようとしても、下端部が窓部２３の下に続く細幅部２４の両脇のカバー板２０’に当接して移動が制限されるので、開口方向へ抜ける恐れはない。
図１４の右側の支柱２の左側の支持構造体３’に支持された係止部３５についても、同様に別個の回転拘束部材７０を挿入することで、係止部３５の回転を拘束することができる。
【００３９】
左右の支持構造体３’から棚板３０’を外したい場合は、取り付け時と逆の手順で簡単に外すことができ、他の所望高さに容易に移動ができる。
すなわち、左右の支持構造体３’に嵌装した回転拘束部材７０につき、まず取っ手７３を持って回転拘束部材７０をガイド部２２’の開口方向（棚板３０の中央の方向）へ少し傾けながらガイドスリット２１’の窓部２３及び上に続く細幅部２４から外部に取り出す。
次に、棚板３０’を持ち、左右の突設部３３’を結ぶ軸の周りに９０度回転させて底板３２の平面が鉛直面内に入るようにし、係止部３５を縦向き（上下向き）とし、棚板３０’を正面から見て時計回りまたは反時計回りに少し傾斜させながら、左の係止部３５を左のガイドスリット２１’から外部に抜き、右の係止部３５を右のガイドスリット２１’から外部に抜くことで、棚板３０’の左右の突設部３３を左右の支持構造体３’から容易に取り外すことができる。あとは、前述と同様にして、他の所望高さの横部材受け空間部６へ係止させれば良い。
【００４０】
この第２実施例によれば、前述した第１実施例と同様の効果を発揮できるほか、ガイド部２２’の横部材受け空間部６と上に続く細幅部７の内、係止受け部６ａに横向きに係止された係止部３５の上の空間に、回転拘束部材７０を挿脱自在に嵌挿しておけば、何らかの外力で係止部３５が回転しようとしても回転拘束部材７０により回転が拘束されて縦向きになるのが邪魔されるので、突設部３３’がガイド部２２’から外れて棚板３０’が落下してしまうのを防止することができる。
【００４１】
なお、上記した第２実施例では、回転拘束部材に突設部を設けたが、図２１（１）の７０Ａに示す如くカマボコ形の本体部７１と取っ手７３だけとしても良く、また、図２１（２）の７０Ｂに示す如く本体部７１と突設部７２だけとしたり、（３）の７０Ｃに示す如く本体部７１だけとした回転拘束部材とすることもできる。図２１（２）、（３）の場合、鉤爪、ペンチ等の工具を用いて回転拘束部材の挿脱ができる。
また、回転拘束部材を磁石により形成したり、回転拘束部材または係止部を予め磁化させておくことで、回転拘束部材と係止部が着脱自在に磁着するようにしたり、回転拘束部材とガイド部が着脱自在に磁着するようにし、外力が加わっても回転拘束部材がガイド部からより外れ難くするようにしても良い。
【００４２】
また、支持構造体３’に多数の横部材受け空間部を設ける場合を例に挙げて説明したが、１個だけとしたり、２乃至５個程度としても良い。また、支持構造体に設けたガイド部は側方に開口するようにしたが、上方にも開口するようにしても良い。
また、床と天井の間に立設された支柱に棚板を支持させる場合を例に挙げたが、地面の上に立設された足場の建地部材や柵用柱などの縦部材に、横方向に延びたバー部材などの横部材を支持させる場合にも適用することができる。
【００４３】
具体的には例えば図２２乃至図２５に示す如く、地面の上に左右に間隔を離して立設した足場用の金属製（鋼製、ステンレス製など）の各建地部材４０、４１の途中箇所の同じ高さに、左右一対の金属製（鋼製、ステンレス製など）の支持構造体３Ａ’が一体化された全体が金属製（鋼製、ステンレス製など）のブラケット６０’を溶接等で固着して設けるか、ボルト止め等で着脱自在に装着するようにし、金属製（鋼製、ステンレス製など）で左右の軸方向に延設されたバー部材５０’の両端に、前述した棚板３０’に設けたのと同様の金属製（鋼製、ステンレス製など）の突設部３３’を設け、左右に間隔を開けて２本立設された建地部材４０、４１により、バー部材５０’の両端の突設部３３’を水平に支持可能とする。
各ブラケット６０’に一体化して備えられた左右一対の支持構造体３Ａ’は全て同形であり、また、左側の建地部材４０のブラケット６０’に備えた右側面側の支持構造体３Ａ’と、右側の建地部材４１のブラケット６０’に備えた左側面側の支持構造体３Ａ’は左右対称かつ互いに対向して設けられている。
【００４４】
支持構造体３Ａ’は、前述した図１４、図１５の本体４のガイド溝５に設けた横部材受け空間部６を一つだけとするとともに、図１４、図１５のガイド溝５の上端に開口５ａを形成した本体４Ａ’、ガイド溝５Ａ’とし、また図１４、図１５のカバー板２０’のガイドスリット２１’に設けた窓部２３を一つだけとするとともに、図１４、図１５のガイドスリット２１’の上端に開口２１ａを形成したカバー板２０Ａ’、ガイドスリット２１Ａ’とした形状を有しており、バー部材５０’の左右両端に設けた突設部３３’をガイドスリット２１Ａ’の側方からも、上方からも挿脱可能にしたものである。
横部材受け空間部６の底面はガイド溝５Ａ’の細幅部７Ａ’が非貫通の係止受け部６ｂであり、ガイドスリット２１Ａ’の下端はここでは係止受け部６ｂからｐだけ上の位置と一致している（図２４参照）。横部材受け空間部６の上に続く細幅部７Ａ’の長さと窓部２３の上に続く細幅部２４Ａ’の長さは短く形成されており、係止受け部６ｂに横向きに係止されたバー部材５０’の係止部３５の上に、図２１（２）と同様の回転拘束部材（図２６、図２７の符号７０Ｂ’参照）が載せられたとき、回転拘束部材の突設部が開口５ａ、２１ａより上方へ突設するようになっている。
【００４５】
図２５に建地部材４０に設けられたブラケット６０’の右側の支持構造体３Ａ’の組み立て図を示す。図２５おいて、４Ａ’はブラケット６０’を構成する金属製（鋼製、ステンレス製など）で建地部材４０の外周に嵌着された外形が角柱状の基体６１’の左右側面に溶接、ネジ留め等で装備された箱型の本体であり、上方及び右側方に開口し、上端から下端近くまで上下方向に延設されたガイド溝５Ａ’を備えている。ガイド溝５Ａ’は開口５ａに続く細幅部７Ａ’の下に断面が釣鐘形の一つの横部材受け空間部６を備えている。２０Ａ’は金属製（鋼製、ステンレス製など）で正方形に近い長方形状のカバー板であり、本体４Ａ’のガイド溝５Ａ’が開口した右側面４００ａ’と同形に形成されており、右側面４００ａ’に重ね合わせて図示しないネジ等で装着されるか、本体４Ａ’と溶接等で一体化されている。
本体４Ａ’のガイド溝５Ａ’とカバー板２０Ａ’のガイドスリット２１Ａ’によりガイド部２２Ａ’が構成されている（図２３、図２４参照）。ガイド部２２Ａ’はガイドスリット２１Ａ’によりカバー部材５０’の有る右側方（建地部材４１の方向）に開口し、かつ、開口５ａ、２１ａにより上方に開口している。
図２２の右側の建地部材４１の左側面に備えられた支持構造体３Ａ’は、左側の建地部材４０の右側面に設けられた支持構造体３Ａ’と対向するようにして左右対称に形成されている。
【００４６】
図２６、図２７を参照して図２２乃至図２５の変形例の使用方法を説明すると、建地部材４０の右側の支持構造体３Ａ’と建地部材４１の左側の支持構造体３Ａ’の開口２１ａまたは５ａからガイド部２２Ａ’の中に、横部材としてのバー部材５０’の左右端部に設けた突設部３３’の係止部３５を縦向きにして挿入し、ガイド部２２Ａ’に形成された横部材受け空間部６で係止部３５を水平な横向きにし、係止受け部６ｂに載せて係止させることにより、バー部材５０’を簡単に左右の建地部材４０、４１の間に水平に架設し、支持させることができる（図２６（１）参照）。
バー部材５０’に何らかの外力が加わって係止部３５が図２２の前後方向や左右方向（図２６（１）の左右方向や前後方向）に動いても、横部材受け空間部６の壁やカバー板２０Ａ’に当接し、ガイド溝５Ａ’（ガイド部２２Ａ’）から外れるのが阻止される。但し、バー部材５０’に何らかの外力が加わって係止部３５が縦向きになると、ガイドスリット２１Ａ’から突設部３３’が外部に抜けてバー部材５０’が落下してしまう恐れがある。この変形例では、突設部３３’が縦向きになってガイド部２２Ａ’から外れるのを防止できるようになっている。
【００４７】
すなわち、図２１（２）の回転拘束部材７０Ｂの突設部７２を少し長くした回転拘束部材７０Ｂ’を用意し、突設部７２’を持ち、本体部７１をガイドスリット２１Ａ’の窓部２３に対向させ、下端の前端縁７４を軸とした軸周りに、突設部７２’の側がバー部材５０’の左右方向に見た中央の方向へ前傾するように傾け、ガイドスリット２１Ａ’の内、窓部２３と上に続く細幅部２４Ａ’による開口から、横部材受け空間部６の係止受け部６ｂの上に横向きに係止された係止部３５の上の空間に挿し込み、縦向きに起こして係止部３５の上に垂直に起立させる（図２７（１）乃至（３）、図２６（２）参照）。
【００４８】
係止部３５と上に載った回転拘束部材７０Ｂ’を合わせた縦断面形状は、横部材受け空間部６と上に続く細幅部７Ａ’の空間と縦断面形状が類似し、少しだけ小さいので、回転拘束部材７０Ｂ’が上方に動こうとすると、本体部７１の外面が横部材受け空間部６の上壁に当接し、下方に動こうとすると係止部３５に当接し、ガイドスリット２１Ａ’の横の開口方向（図２７（３）の右方向参照）と直交する水平方向（図２６（２）の左右方向）へ移動しようとすると、本体部７１の外面が横部材受け空間部６の内側壁に当接するか、または突設部７２’が細幅部７Ａ’の内壁に当接する。
また、回転拘束部材７０Ｂ’が、図２６（２）の時計回りまたは反時計回りに回転しようとしたときも、本体部７１の外面が横部材受け空間部６の内側壁に当接するか、または突設部７２’が細幅部７Ａ’の内壁に当接する。
【００４９】
この結果、回転拘束部材７０Ｂ’は図２２の上下方向・前後水平方向・回転方向のいずれの移動も干渉されて不能となる。
従って、バー部材５０’に何らかの外力が加わって係止部３５がバー部材５０’の軸周りに回転しようとしても、回転拘束部材７０Ｂ’に邪魔されてしまい、係止部３５は回転が拘束されて縦向きになることが出来ず、突設部３３’がガイド部２２Ａ’の開口から左右方向の外部へ外れるのが防止される。
なお、回転拘束部材７０Ｂ’が何らかの外力でガイドスリット２１Ａ’が開口した側方へ移動しようとしても、下端部が窓部２３の下に続く細幅部２４Ａ’の両脇のカバー板２０Ａ’に当接して移動が制限されるので、開口した側方へ抜ける恐れはない。
図２２の右側の建地部材４１の支持構造体３Ａ’に支持されたバー部材５０’の右側の係止部３５についても、同様に別個の回転拘束部材７０Ｂ’を挿入して係止部３５の回転を拘束するようにすれば良い。
【００５０】
左右の支持構造体３Ａ’からバー部材５０’を外したい場合は、取り付け時と逆の手順で簡単に外すことができる。まず、左右の支持構造体３Ａ’に嵌装した回転拘束部材７０Ｂ’につき、突設部７２’を持ってバー部材５０’の中央方向へ少し傾けながらガイドスリット２１Ａ’の窓部２３及び上に続く細幅部２４Ａ’から外部に取り出す。
次に、バー部材５０’を軸周りに回転して左右の横部材受け空間部６の中で突設部３３’の係止部３５を縦向きにし、ガイド部２２Ａ’の中を上方へ移動し、開口５ａまたは２１ａから上方へ抜くことで簡単に外すことができる。
【００５１】
なお、上記した図２２乃至図２４の変形例において、回転拘束部材には図１９のタイプ、図２１のタイプなどを用いることもできる。
また、第２実施例では支柱１（２）の左右面に一つづつ支持構造体を固着または着脱自在に装着した例を挙げたが、支柱１（２）の前後左右の４面に計４つの支持構造体３’を固着または装着するようにしても良い（図１２参照）。同様に、図２２乃至図２５の変形例においても、建地部材４０（４１）に固着または装着したブラケットの前後左右の４面に計４つの支持構造体３Ａ’を設けるようにしても良い（図１３参照）。
【産業上の利用可能性】
【００５２】
本発明は、棚板、バー部材などの横部材を支持する支柱、建地部材などの縦部材に適用可能である。
【符号の説明】
【００５３】
１、２  支柱
３  支持構造体
４  本体
５  ガイド溝
６  横部材受け空間部
６ａ  係止受け部
２０  カバー板
２１  ガイドスリット
２２  ガイド部
３０  棚板
３３  突設部
３４  首部
３５  係止部
【図１】
2020112264.tif 000003
【図２】
2020112264.tif 000004
【図３】
2020112264.tif 000005
【図４】
2020112264.tif 000006
【図５】
2020112264.tif 000007
【図６】
2020112264.tif 000008
【図７】
2020112264.tif 000009
【図８】
2020112264.tif 000010
【図９】
2020112264.tif 000011
【図１０】
2020112264.tif 000012
【図１１】
2020112264.tif 000013
【図１２】
2020112264.tif 000014
【図１３】
2020112264.tif 000015
【図１４】
2020112264.tif 000016
【図１５】
2020112264.tif 000017
【図１６】
2020112264.tif 000018
【図１７】
2020112264.tif 000019
【図１８】
2020112264.tif 000020
【図１９】
2020112264.tif 000021
【図２０】
2020112264.tif 000022
【図２１】
2020112264.tif 000023
【図２２】
2020112264.tif 000024
【図２３】
2020112264.tif 000025
【図２４】
2020112264.tif 000026
【図２５】
2020112264.tif 000027
【図２６】
2020112264.tif 000028
【図２７】
2020112264.tif 000029